(57)【要約】【課題】絵画を作成した直後に、当該作成済みの絵画にサインを施す場合と同様な雰囲気を醸し出すことができるようにする。【解決手段】撮影画像を絵画風画像に変換し（ステップＳ１０４）、サインを入力させる（ステップＳ１０６）。その後、撮影画像又は絵画風画像に含まれている色を検出し、この検出された複数の色をサイン選択候補として表示させる（ステップＳ１０７）。その後、この表示されたサイン選択候補としての複数の色の中から、サインとして使用する色を選択する（ステップＳ１０８）と、この選択された色を用いて、入力されたサインを、変換された絵画風画上に配置させる（ステップＳ１０９）。または、絵画部分の輪郭を抽出し、抽出済みの輪郭線に沿ってサインを配置させる。これらのサイン配置された画像を表示する（ステップＳ１１４、Ｓ１１３）。作成済みの絵画にサインを施す場合と同様な雰囲気を醸し出すことができる。【選択図】図４
2011257971.tif 000002
【特許請求の範囲】
【請求項１】
撮影画像を記憶する撮影画像記憶手段と、
この撮影画像記憶手段に記憶された撮影画像を絵画風画像に変換する絵画風画像変換手段と、
サインを入力する入力手段と、
前記撮影画像又は絵画風画像に含まれている色を検出し、この検出された複数の色をサイン選択候補として表示させる色表示制御手段と、
この色表示制御手段の制御により表示されたサイン選択候補としての複数の色および当該複数の色以外の他の特定色のいずれかの色の中から、サインとして使用する色を選択する色選択手段と、
この色選択手段により選択された色を用いて、前記入力手段により入力されたサインを前記絵画風画像変換手段により変換された絵画風画上に配置させるサイン色表示制御手段と、
を備えていることを特徴とする絵画風画像表示制御装置。
【請求項２】
前記絵画風画像上において前記サインを配置する位置を指定するサイン位置指定手段を更に備え、
前記サイン色表示制御手段は、前記サイン位置指定手段により指定された絵画風画上の位置に、前記選択された色を用いて前記サインを配置させることを特徴とする請求項１記載の絵画風画像表示制御装置。
【請求項３】
前記サイン位置指定手段は、前記絵画風画像上において前記サインを配置する位置の選択候補であるサイン位置選択候補を表示させるサイン位置選択候補表示制御手段と、
このサイン位置選択候補表示制御手段の制御により表示される前記サイン位置選択候補中からいずれかを選択するサイン位置選択手段とを備え、
前記サイン色表示制御手段は、前記サイン位置選択手段により選択されたサイン位置選択候補が示す絵画風画上の位置に、前記選択された色を用いて前記サインを配置させることを特徴とする請求項２記載の絵画風画像表示制御装置。
【請求項４】
前記サイン位置選択候補には、前記絵画風画像における絵画部分の中の位置と、絵画部分の以外の位置とが含まれることを特徴とする請求項３記載の絵画風画像表示制御装置。
【請求項５】
撮影画像を記憶する撮影画像記憶手段と、
この撮影画像記憶手段に記憶された撮影画像を絵画風画像に変換する絵画風画像変換手段と、
サインを入力する入力手段と、
前記絵画風画像変換手段により変換された絵画風画像の絵画部分における輪郭を抽出する輪郭抽出手段と、
この輪郭抽出手段により抽出された輪郭に沿って、前記入力手段により入力されたサインを配置させるサイン配置表示制御手段と、
を備えていることを特徴とする絵画風画像表示制御装置。
【請求項６】
前記絵画風画像上において前記サインを配置する位置を指定するサイン位置指定手段を更に備え、
前記サイン配置表示制御手段は、前記サイン位置指定手段により指定された絵画風画上の位置に、前記サインを配置させることを特徴とする請求項５記載の絵画風画像表示制御装置。
【請求項７】
前記サイン位置指定手段は、前記絵画風画像上において前記サインを配置する位置の選択候補であるサイン位置選択候補を表示させるサイン位置選択候補表示制御手段と、
このサイン位置選択候補表示制御手段の制御により表示される前記サイン位置選択候補中からいずれかを選択するサイン位置選択手段とを備え、
前記サイン色表示制御手段は、前記サイン位置選択手段により選択されたサイン位置選択候補が示す絵画風画上の位置に前記サインを配置させることを特徴とする請求項２記載の絵画風画像表示制御装置。
【請求項８】
撮影画像を記憶する撮影画像記憶手段と、
サインを入力する入力手段と、
複数種の絵画形式からいずれかを選択する絵画形式選択手段と、
前記撮影画像記憶手段に記憶された撮影画像を前記絵画形式選択手段により選択された絵画形式の絵画風画像に変換する絵画風画像変換手段と、
前記入力手段により入力されたサインを前記絵画形式選択手段により選択された絵画形式に応じた態様で、前記絵画風画像変換手段により変換された絵画風画上に配置させるサイン態様表示制御手段と、
を備えていることを特徴とする絵画風画像表示制御装置。
【請求項９】
前記複数種の絵画形式に各々対応して異なるサインの線種を記憶したサイン線種記憶手段を更に備え、
前記サイン態様表示制御手段は、前記絵画形式選択手段により選択された絵画形式に対応する線種で前記サインを前記絵画風画上に配置させることを特徴とする請求項８記載の絵画風画像表示制御装置。
【請求項１０】
前記絵画風画像上において前記サインを配置する位置を指定するサイン位置指定手段を更に備え、
前記サイン態様表示制御手段は、前記サイン位置指定手段により指定された絵画風画上の位置であって、前記選択された絵画形式に応じた態様で前記サインを配置させることを特徴とする請求項８記載の絵画風画像表示制御装置。
【請求項１１】
前記絵画風画像上における前記サインの大きさを指定するサイン大きさ指定手段を更に備え、
前記サイン態様表示制御手段は、前記サイン大きさ指定手段により指定された大きさであって、前記選択された絵画形式に応じた態様で前記サインを配置させることを特徴とする請求項８から１０にいずれか記載の絵画風画像表示制御装置。
【請求項１２】
前記絵画風画像上における前記サインの色を指定するサイン色指定手段を更に備え、
前記サイン態様表示制御手段は、前記サイン色指定手段により指定された色であって、前記選択された絵画形式に応じた態様で前記サインを配置させることを特徴とする請求項８から１１にいずれか記載の絵画風画像表示制御装置。
【請求項１３】
撮影画像を記憶する撮影画像記憶手段を有する装置が有するコンピュータを、
前記撮影画像記憶手段に記憶された撮影画像を絵画風画像に変換する絵画風画像変換手段と、
サインを入力する入力手段と、
前記撮影画像又は絵画風画像に含まれている色を検出し、この検出された複数の色をサイン選択候補として表示させる色表示制御手段と、
この色表示制御手段の制御により表示されたサイン選択候補としての複数の色および当該複数の色以外の他の特定色のいずれかの色の中から、サインとして使用する色を選択する色選択手段と、
この色選択手段により選択された色を用いて、前記入力手段により入力されたサインを前記絵画風画像変換手段により変換された絵画風画上に配置させるサイン色表示制御手段と、
して機能させることを特徴とする絵画風画像表示制御プログラム。
【請求項１４】
撮影画像を記憶する撮影画像記憶手段を有する装置が有するコンピュータを、
前記撮影画像記憶手段に記憶された撮影画像を絵画風画像に変換する絵画風画像変換手段と、
サインを入力する入力手段と、
前記絵画風画像変換手段により変換された絵画風画像の絵画部分における輪郭を抽出する輪郭抽出手段と、
この輪郭抽出手段により抽出された輪郭に沿って、前記入力手段により入力されたサインを配置させるサイン配置表示制御手段と、
して機能させることを特徴とする絵画風画像表示制御プログラム。
【請求項１５】
撮影画像を記憶する撮影画像記憶手段を有する装置が有するコンピュータを、
サインを入力する入力手段と、
複数種の絵画形式からいずれかを選択する絵画形式選択手段と、
前記撮影画像記憶手段に記憶された撮影画像を前記絵画形式選択手段により選択された絵画形式の絵画風画像に変換する絵画風画像変換手段と、
前記入力手段により入力されたサインを前記絵画形式選択手段により選択された絵画形式に応じた態様で、前記絵画風画像変換手段により変換された絵画風画上に配置させるサイン態様表示制御手段と、
して機能させることを特徴とする絵画風画像表示制御プログラム。
【請求項１６】
撮影画像を記憶する撮影画像記憶手段を有する装置における絵画風画像表示制御方法であって、
前記撮影画像記憶手段に記憶された撮影画像を絵画風画像に変換する絵画風画像変換ステップと、
サインを入力する入力ステップと、
前記撮影画像又は絵画風画像に含まれている色を検出し、この検出された複数の色をサイン選択候補として表示させる色表示制御ステップと、
この色表示制御ステップでの制御により表示されたサイン選択候補としての複数の色および当該複数の色以外の他の特定色のいずれかの色の中から、サインとして使用する色を選択する色選択ステップと、
この色選択ステップにより選択された色を用いて、前記入力ステップにより入力されたサインを前記絵画風画像変換ステップにより変換された絵画風画上に配置させるサイン色表示制御ステップと、
を含むことを特徴とする絵画風画像表示制御方法。
【請求項１７】
撮影画像を記憶する撮影画像記憶手段を有する装置における絵画風画像表示制御方法であって、
前記撮影画像記憶手段に記憶された撮影画像を絵画風画像に変換する絵画風画像変換ステップと、
サインを入力する入力ステップと、
前記絵画風画像変換ステップにより変換された絵画風画像の絵画部分における輪郭を抽出する輪郭抽出ステップと、
この輪郭抽出ステップにより抽出された輪郭に沿って、前記入力ステップにより入力されたサインを配置させるサイン配置表示制御ステップと、
を含むことを特徴とする絵画風画像表示制御方法。
【請求項１８】
撮影画像を記憶する撮影画像記憶手段を有する装置における絵画風画像表示制御方法であって、
サインを入力する入力ステップと、
複数種の絵画形式からいずれかを選択する絵画形式選択ステップと、
前記撮影画像記憶手段に記憶された撮影画像を前記絵画形式選択ステップにより選択された絵画形式の絵画風画像に変換する絵画風画像変換ステップと、
前記入力ステップにより入力されたサインを前記絵画形式選択ステップにより選択された絵画形式に応じた態様で、前記絵画風画像変換手段により変換された絵画風画上に配置させるサイン態様表示制御ステップと、
を含むことを特徴とする絵画風画像表示制御方法。
【発明の詳細な説明】
【技術分野】
【０００１】
本発明は、撮影された画像を絵画風の画像に変換して表示する絵画風画像表示制御装置、絵画風画像表示制御プログラム及び絵画風画像表示制御方法に関するものである。
【背景技術】
【０００２】
従来、撮影された画像に基づき、画家の描いた絵画に見られる特徴を擬似的に再現した絵画風画像を作成する変換技術が提案されるに至っている（例えば下記特許文献１参照）。したがって、デジタルカメラで撮影した画像を、前記変換技術を用いて絵画風画像に変換することが可能である。
【先行技術文献】
【特許文献】
【０００３】
【特許文献１】特開２００４−２１３５９８号公報
【発明の概要】
【発明が解決しようとする課題】
【０００４】
ところで、一般的に絵画には、製作した者のサインが書き込まれている。したがって、前記変換技術を用いて変換した絵画風画像にも変換した人物を制作者としてサインを書き込ませるようにすることにより、一層絵画的な画像とすることができる。
【０００５】
しかし、単に絵画風画像にサインを書き込む処理を行うようにすると、書き込まれたサインの形態が作成された絵画風画像の雰囲気や画調と合致せず、サインの書き込みより却って違和感が生じてしまう。
【０００６】
本発明は、このような課題に鑑みてなされたものであり、絵画を作成した直後に、当該作成済みの絵画にサインを施す場合と同様な雰囲気を醸し出すことのできる絵画風画像表示制御装置、絵画風画像表示制御プログラム及び絵画風画像表示制御方法を提供することを目的とする。
【課題を解決するための手段】
【０００７】
前記課題を解決するため、請求項１記載の発明に係る絵画風画像表示制御装置にあっては、撮影画像を記憶する撮影画像記憶手段と、この撮影画像記憶手段に記憶された撮影画像を絵画風画像に変換する絵画風画像変換手段と、サインを入力する入力手段と、
【０００８】
前記撮影画像又は絵画風画像に含まれている色を検出し、この検出された複数の色をサイン選択候補として表示させる色表示制御手段と、この色表示制御手段の制御により表示されたサイン選択候補としての複数の色および当該複数の色以外の他の特定色のいずれかの色の中から、サインとして使用する色を選択する色選択手段と、この色選択手段により選択された色を用いて、前記入力手段により入力されたサインを前記絵画風画像変換手段により変換された絵画風画上に配置させるサイン色表示制御手段と、を備えていることを特徴とする。
【０００９】
また、請求項２記載の発明に係る絵画風画像表示制御装置にあっては、前記絵画風画像上において前記サインを配置する位置を指定するサイン位置指定手段を更に備え、前記サイン色表示制御手段は、前記サイン位置指定手段により指定された絵画風画上の位置に、前記選択された色を用いて前記サインを配置させることを特徴とする。
【００１０】
また、請求項３記載の発明に係る絵画風画像表示制御装置にあっては、前記サイン位置指定手段は、前記絵画風画像上において前記サインを配置する位置の選択候補であるサイン位置選択候補を表示させるサイン位置選択候補表示制御手段と、このサイン位置選択候補表示制御手段の制御により表示される前記サイン位置選択候補中からいずれかを選択するサイン位置選択手段とを備え、前記サイン色表示制御手段は、前記サイン位置選択手段により選択されたサイン位置選択候補が示す絵画風画上の位置に、前記選択された色を用いて前記サインを配置させることを特徴とする。
【００１１】
また、請求項４記載の発明に係る絵画風画像表示制御装置にあっては、前記サイン位置選択候補には、前記絵画風画像における絵画部分の中の位置と、絵画部分の以外の位置とが含まれることを特徴とする。
【００１２】
また、請求項５記載の発明に係る絵画風画像表示制御装置にあっては、撮影画像を記憶する撮影画像記憶手段と、この撮影画像記憶手段に記憶された撮影画像を絵画風画像に変換する絵画風画像変換手段と、サインを入力する入力手段と、前記絵画風画像変換手段により変換された絵画風画像の絵画部分における輪郭を抽出する輪郭抽出手段と、この輪郭抽出手段により抽出された輪郭に沿って、前記入力手段により入力されたサインを配置させるサイン配置表示制御手段と、を備えていることを特徴とする。
【００１３】
また、請求項６記載の発明に係る絵画風画像表示制御装置にあっては、前記絵画風画像上において前記サインを配置する位置を指定するサイン位置指定手段を更に備え、前記サイン配置表示制御手段は、前記サイン位置指定手段により指定された絵画風画上の位置に、前記サインを配置させることを特徴とする。
【００１４】
また、請求項７記載の発明に係る絵画風画像表示制御装置にあっては、前記サイン位置指定手段は、前記絵画風画像上において前記サインを配置する位置の選択候補であるサイン位置選択候補を表示させるサイン位置選択候補表示制御手段と、このサイン位置選択候補表示制御手段の制御により表示される前記サイン位置選択候補中からいずれかを選択するサイン位置選択手段とを備え、前記サイン色表示制御手段は、前記サイン位置選択手段により選択されたサイン位置選択候補が示す絵画風画上の位置に前記サインを配置させることを特徴とする。
【００１５】
また、請求項８記載の発明に係る絵画風画像表示制御装置にあっては、撮影画像を記憶する撮影画像記憶手段と、サインを入力する入力手段と、複数種の絵画形式からいずれかを選択する絵画形式選択手段と、前記撮影画像記憶手段に記憶された撮影画像を前記絵画形式選択手段により選択された絵画形式の絵画風画像に変換する絵画風画像変換手段と、前記入力手段により入力されたサインを前記絵画形式選択手段により選択された絵画形式に応じた態様で、前記絵画風画像変換手段により変換された絵画風画上に配置させるサイン態様表示制御手段と、を備えていることを特徴とする。
【００１６】
また、請求項９記載の発明に係る絵画風画像表示制御装置にあっては、前記複数種の絵画形式に各々対応して異なるサインの線種を記憶したサイン線種記憶手段を更に備え、前記サイン態様表示制御手段は、前記絵画形式選択手段により選択された絵画形式に対応する線種で前記サインを前記絵画風画上に配置させることを特徴とする。
【００１７】
また、請求項１０記載の発明に係る絵画風画像表示制御装置にあっては、前記絵画風画像上において前記サインを配置する位置を指定するサイン位置指定手段を更に備え、前記サイン態様表示制御手段は、前記サイン位置指定手段により指定された絵画風画上の位置であって、前記選択された絵画形式に応じた態様で前記サインを配置させることを特徴とする。
【００１８】
また、請求項１１記載の発明に係る絵画風画像表示制御装置にあっては、前記絵画風画像上における前記サインの大きさを指定するサイン大きさ指定手段を更に備え、前記サイン態様表示制御手段は、前記サイン大きさ指定手段により指定された大きさであって、前記選択された絵画形式に応じた態様で前記サインを配置させることを特徴とする。
【００１９】
また、請求項１２記載の発明に係る絵画風画像表示制御装置にあっては、前記絵画風画像上における前記サインの色を指定するサイン色指定手段を更に備え、前記サイン態様表示制御手段は、前記サイン色指定手段により指定された色であって、前記選択された絵画形式に応じた態様で前記サインを配置させることを特徴とする。
【００２０】
また、請求項１３記載の発明に係る絵画風画像表示制御プログラムにあっては、撮影画像を記憶する撮影画像記憶手段を有する装置が有するコンピュータを、前記撮影画像記憶手段に記憶された撮影画像を絵画風画像に変換する絵画風画像変換手段と、サインを入力する入力手段と、前記撮影画像又は絵画風画像に含まれている色を検出し、この検出された複数の色をサイン選択候補として表示させる色表示制御手段と、この色表示制御手段の制御により表示されたサイン選択候補としての複数の色および当該複数の色以外の他の特定色のいずれかの色の中から、サインとして使用する色を選択する色選択手段と、この色選択手段により選択された色を用いて、前記入力手段により入力されたサインを前記絵画風画像変換手段により変換された絵画風画上に配置させるサイン色表示制御手段と、して機能させることを特徴とする。
【００２１】
また、請求項１４記載の発明に係る絵画風画像表示制御プログラムにあっては、撮影画像を記憶する撮影画像記憶手段を有する装置が有するコンピュータを、前記撮影画像記憶手段に記憶された撮影画像を絵画風画像に変換する絵画風画像変換手段と、サインを入力する入力手段と、前記絵画風画像変換手段により変換された絵画風画像の絵画部分における輪郭を抽出する輪郭抽出手段と、この輪郭抽出手段により抽出された輪郭に沿って、前記入力手段により入力されたサインを配置させるサイン配置表示制御手段と、して機能させることを特徴とする。
【００２２】
また、請求項１５記載の発明に係る絵画風画像表示制御プログラムにあっては、撮影画像を記憶する撮影画像記憶手段を有する装置が有するコンピュータを、サインを入力する入力手段と、複数種の絵画形式からいずれかを選択する絵画形式選択手段と、前記撮影画像記憶手段に記憶された撮影画像を前記絵画形式選択手段により選択された絵画形式の絵画風画像に変換する絵画風画像変換手段と、前記入力手段により入力されたサインを前記絵画形式選択手段により選択された絵画形式に応じた態様で、前記絵画風画像変換手段により変換された絵画風画上に配置させるサイン態様表示制御手段と、して機能させることを特徴とする。
【００２３】
また、請求項１６記載の発明に係る絵画風画像表示制御方法にあっては、撮影画像を記憶する撮影画像記憶手段を有する装置における絵画風画像表示制御方法であって、前記撮影画像記憶手段に記憶された撮影画像を絵画風画像に変換する絵画風画像変換ステップと、サインを入力する入力ステップと、前記撮影画像又は絵画風画像に含まれている色を検出し、この検出された複数の色をサイン選択候補として表示させる色表示制御ステップと、この色表示制御ステップでの制御により表示されたサイン選択候補としての複数の色および当該複数の色以外の他の特定色のいずれかの色の中から、サインとして使用する色を選択する色選択ステップと、この色選択ステップにより選択された色を用いて、前記入力ステップにより入力されたサインを前記絵画風画像変換ステップにより変換された絵画風画上に配置させるサイン色表示制御ステップと、を含むことを特徴とする。
【００２４】
また、請求項１７記載の発明に係る絵画風画像表示制御方法にあっては、撮影画像を記憶する撮影画像記憶手段を有する装置における絵画風画像表示制御方法であって、前記撮影画像記憶手段に記憶された撮影画像を絵画風画像に変換する絵画風画像変換ステップと、サインを入力する入力ステップと、前記絵画風画像変換ステップにより変換された絵画風画像の絵画部分における輪郭を抽出する輪郭抽出ステップと、この輪郭抽出ステップにより抽出された輪郭に沿って、前記入力ステップにより入力されたサインを配置させるサイン配置表示制御ステップと、を含むことを特徴とする。
【００２５】
また、請求項１８記載の発明に係る絵画風画像表示制御方法にあっては、撮影画像を記憶する撮影画像記憶手段を有する装置における絵画風画像表示制御方法であって、サインを入力する入力ステップと、複数種の絵画形式からいずれかを選択する絵画形式選択ステップと、前記撮影画像記憶手段に記憶された撮影画像を前記絵画形式選択ステップにより選択された絵画形式の絵画風画像に変換する絵画風画像変換ステップと、前記入力ステップにより入力されたサインを前記絵画形式選択ステップにより選択された絵画形式に応じた態様で、前記絵画風画像変換手段により変換された絵画風画上に配置させるサイン態様表示制御ステップと、を含むことを特徴とする。
【発明の効果】
【００２６】
本発明によれば、絵画を作製した直後に、当該作製済みの絵画にサインを施す場合と同様な雰囲気を醸し出すことができる。
【００２７】
具体的には、請求項１、１３、１６に係る発明によれば、撮影画像又は絵画風画像に含まれている複数の色をサイン選択候補として表示し、この表示されたサイン選択候補としての複数の色の中から、サインとして使用する色を自由に選択してサインを配置することができる。このために、絵画を作成した直後に、当該作成済みの絵画に使った絵の具などの色を用いて、または、絵画を作成した直後に、当該作成済みの絵画に使った絵の具などの色以外の特別な色を用いて、絵画中にサインを施す場合と同様な雰囲気を醸し出すことができる。
【００２８】
請求項５、１４、１７に係る発明によれば、絵画の外でなく、絵画の内部にも、絵画部分の輪郭線に沿って入力済みサインを配置させることができる。有名なゴッホなどは、絵画部分の輪郭線に沿ってサインを描く手法を多用しているが、このような手法と同様な雰囲気を醸し出すことができる。
【００２９】
請求項８、１５、１８に係る発明によれば、変換された絵画風画像の形式に応じた態様でサインを配置させることができる。このため、変換された絵画風画像に形式に応じて違和感なくサインを配置することができる。
【図面の簡単な説明】
【００３０】
【図１】本発明の各実施の形態に共通するデジタルカメラの外観を示す背面図である。
【図２】同デジタルカメラの電気的構成の概略を示すブロック構成図である。
【図３】ＲＡＭのメモリ構成図であり、（ａ）は絵画画像の選択前のメモリ状態を示し、（ｂ）は絵画画像の選択後のメモリ状態を示す。
【図４】本発明の第１の実施の形態における処理手順を示すフローチャートである。
【図５】第１の実施の形態における表示画面例を示す図である。
【図６】図５に続く表示画面例を示す遷移図である。
【図７】図６に続く表示画面例を示す遷移図である。
【図８】図７に続く表示画面例を示す遷移図である。
【図９】図８に続く表示画面例を示す遷移図である。
【図１０】図９に続く表示画面例を示す遷移図である。
【図１１】図１０に続く表示画面例を示す遷移図である。
【図１２】図１１に続く表示画面例を示す遷移図である。
【図１３】図１２に続く表示画面例を示す遷移図である。
【図１４】（ａ）は本発明の第２の実施の形態においてＲＯＭに記憶されているテーブルを示す概念図であり、（ｂ）は線種を示す図である。
【図１５】第２の実施の形態における処理手順を示すフローチャートである。
【図１６】第２の実施の形態における表示画面例を示す図である。
【図１７】（ａ）および（ｂ）は第２の実施の形態における表示画面例を示す遷移図である。
【発明を実施するための形態】
【００３１】
（第１の実施の形態）
以下、本発明の実施形態について説明する。図１は、本発明の各実施の形態に共通するデジタルカメラ１の外観を示す背面図である。
【００３２】
このデジタルカメラ１の背面には、メニューキー２、モードダイアル３、液晶モニタ４、カーソルキー５、ＳＥＴキー６等が設けられている。また、上面にはシャッターキー８、電源ボタン９が設けられている。なお、側部には図示されていないが、パーソナルコンピュータやモデム等の外部装置とＵＳＢケーブルに接続する場合に用いるＵＳＢ端子接続部が設けられ、正面側に後述する撮像レンズ１２が設けられている。
【００３３】
図２は、デジタルカメラ１の電気的構成の概略を示すブロック構成図である。
【００３４】
デジタルカメラ１は、撮像手段であるＣＣＤ１０を備えるとともに、ＣＣＤ１０により撮像した画像を圧縮・伸張し、所定フォーマット、例えば統一規格ＤＣＦ（Design rule for Camera File system）やＪＰＥＧ（Joint Photographic Expert Group）に合致するフォーマットの画像ファイルを生成・再生する画像処理機能を備えたＣＰＵ１９を中心に構成されている。
【００３５】
ＣＣＤ１０の受光面には、撮像レンズ１２、フォーカスレンズ１３、絞り１４を通過して被写体の光学像が結像される。フォーカスレンズ１３はＡＦモータ等からなる駆動機構１５に保持されており、ＣＰＵ１９からの制御信号によりＡＦドライバー１６が出力する駆動信号が駆動機構１５に供給されることにより光軸上を前後に移動する合焦動作を行う。絞り１４は、ＣＰＵ１９からの制御信号に基づき絞り駆動部１７が発生する駆動信号により駆動しＣＣＤ１０に入射する被写体像の光量を調整する。
【００３６】
また、ＣＰＵ１９には、タイミング信号を発生するＴＧ（Timing Generator）１８が接続されており、ＴＧ１８が発生したタイミング信号に基づきＶドライバー１９（垂直方向ドライバー）がＣＣＤ１０を駆動し、それに伴いＣＣＤ１０により被写体像の輝度に応じたアナログの撮像信号が出力されユニット回路２０へ送られる。
【００３７】
ユニット回路２０は、ＣＣＤ１０から出力された撮像信号を保持するＣＤＳと、ＣＤＳから撮像信号を供給されるアナログアンプであるゲイン調整アンプ（ＡＧＣ）と、ゲイン調整アンプで増幅され調整されたアナログの撮像信号をデジタル信号に変換するＡ／Ｄ変換器（ＡＤ）とからなり、ＣＣＤ１０の出力信号は、ここで黒レベルを合わせてサンプリングされデジタル信号としてＣＰＵ１９に送られる。ゲイン調整アンプ（ＡＧＣ）は、後述するＩＳＯ感度に応じた増幅率で、ＣＤＳから供給される撮像信号を増幅する。
【００３８】
ＣＰＵ１９には、シャッターキー８を含む前記キー群をからなる操作キー部２１、前記液晶モニタ４、ＲＡＭ２２、ＲＯＭ２３、フラッシュメモリ２４が接続されている。液晶モニタ４の画面には、タッチパネル２５が積層されており、タッチパネル２５は液晶モニタ４の画面上におけるユーザのタッチ位置を検出してＣＰＵ１９に出力する。
【００３９】
ＲＡＭ２２は作業用のメモリであり、フラッシュメモリ２４は画像記録用のメモリである。ＣＣＤ１０からＣＰＵ１９に送られたデジタル信号（撮像信号）は、ＲＡＭ２２に一時保存されるとともに、ＣＰＵ１９によって各種の画像処理が施された後、最終的には圧縮された画像データとしてフラッシュメモリ２４に記録される。なお、フラッシュメモリ２４はカメラ本体に着脱自在なカード型のものであってもよい。
【００４０】
フラッシュメモリ２４に記録された画像データは、必要に応じてＣＰＵ１９に読み出され、伸長処理、輝度信号及び色信号の付加等の処理を経てデジタルビデオ信号やアナログビデオ信号に変換され、液晶モニタ４によって表示される。また液晶モニタ４には、記録モードにおいて周期的に撮像された画像がスルー画像として表示される。
【００４１】
ＲＯＭ２３は、ＣＰＵ１９における各部の制御及びデータ処理に必要な各種の動作プログラムが記録されたプログラムＲＯＭである。すなわち、ＲＯＭ２３には、前記プログラムとともに、撮影時の適正な露出値に対応するＩＳＯ感度とシャッタースピードとの組み合わせを示すプログラム線図等の各種データが格納されている。
【００４２】
さらに、ＲＯＭ２３には、実際に画家により描かれた油絵、水彩画、パステル画、鉛筆画、クレヨン画、イラスト画、点描画、エアブラシ画の各原画と、これら原画から色彩情報と筆触情報等の特徴を抽出し、抽出した特徴を付与することで撮影画像に対し絵画風画像変換処理を行い、絵画風画像を作成する特開２００４−２１３５９８に開示された技術に基づく絵画風画像作成プログラムも記憶されている。無論、絵画風画像作成プログラムは、上記公報に開示されたものに限らず、他のアルゴリズムに基づくプログラムであってもよい。
【００４３】
ＣＰＵ１９は、前記プログラム線図に従い、シャッタースピードである前記ＣＣＤ１０の電荷蓄積時間や、前記絞り１４の開放度、前記ユニット回路２０のゲイン調整アンプ（ＡＧＣ）のゲインの制御によるＡＥ制御を行うとともに、所定のプログラムに従い前記フォーカスレンズ１３を駆動するＡＦ（オートフォーカス）制御、ＡＷＢ（オートホワイトバランス）制御を行う。また、フラッシュメモリ２４は、撮影された画像データ等が記録される。
【００４４】
図３は、前記ＲＡＭ２２の一部のエリアを示すメモリ構成図である。ＲＡＭ２２には、同図（ａ）に示すように、画像ＲＡＭ２２１とサインＲＡＭ２２５とが設けられている。画像ＲＡＭ２２１には、第１記憶部２２２、第２記憶部２２３及び第３記憶部２２４が設けられている。
【００４５】
サインＲＡＭ２２５には、入力されたサインの文字を記憶するサイン文字記憶部２２６が設けられているとともに、下記のように選択項目に対応して複数の選択肢が記憶されている。
【００４６】
選択項目            選択肢
・入力の要否        「入れる」「入れない（不要）」
・ファイル名        「そのまま入れる」「特別に入れる」
・位置              「右下」「左下」「右上」「左上」「余白ならどこでも」「主要部                      の中」
・文字書体          「漢字」「英文字」「ひらがな」「カタカナ」
・手書き・標準文字  「手書き」「標準文字」
・サイズ（大きさ）  「大きい」「普通」「小さい」
・色                「画像中の色のみから」「画像中の色以外から」「特定の色」
【００４７】
そして、図３（ｂ）に示すように、画像ＲＡＭにおいては、第１記憶部２２２には、ユーザが絵画風画像に変換しようとする撮影画像Ｐ１が記憶される。第２記憶部２２３には、撮影画像Ｐ１を絵画風画像に変換した画像である絵画風画像Ｐ２が記憶され、第３記憶部２２４には絵画風画像Ｐ２にユーザのサインが書き込まれたサイン入り絵画風画像Ｐ３が記憶される。そして、これら記憶された画像Ｐ１、Ｐ２、Ｐ３がＣＰＵ１９により液晶モニタ４に表示される。
【００４８】
また、サインＲＡＭ２２５においては、ＣＰＵ１９により選択項目と対応する選択肢とが読み出されて液晶モニタ４に表示されるとともに、ユーザによりいずれの選択肢が選択されたかが記憶される。図３（ｂ）は、ユーザにより下記のように選択肢が選択されたことを示している。
・入力の要否          ：「入れる」
・ファイル名          ：「そのまま使う」
・位置                ：「主要部の中」
・手書き・標準文字    ：「手書き」
・文字サイズ（大きさ）：「普通」
・色                  ：「画像中の色のみから」
【００４９】
以上の構成に係る本実施の形態において、デジタルカメラ１はＣＰＵ１９がＲＯＭ２３に格納されているプログラムに従って処理を実行することにより、図４のフローチャートに示す第１の実施の形態における絵画風変換処理を実行する。
【００５０】
すなわち、ユーザーがこのデジタルカメラ１を携帯し、絵画風画像変換モードを設定した状態で所望のシーンでシャッターキー８を押下すると、ＣＰＵ１９は、ＣＣＤ１０上に結像された被写体画像を取り込んで撮影画像Ｐ１とし、画像ＲＡＭ２２１の第１記憶部２２２に記憶するとともに、その撮影画像Ｐ１を液晶モニタ４に表示させる。このとき、ＣＰＵ１９は図５に示すように、液晶モニタ４を左画面４０１と右画面４０２とに画面分割し、左画面４０１に撮影画像Ｐ１を表示させる。
【００５１】
次に、ＣＰＵ１９は、（１）撮影画像・絵画風画像変換の要否表示、及び（２）絵画風画像の形式選択候補の表示処理を実行する（ステップＳ１０２）。このステップＳ１０２での処理により、ＣＰＵ１９は図５に示すように、液晶モニタ４の右画面４０２に「絵画風画像に変換しますか？」の文字列等と選択肢「はい」「いいえ」を表示させるとともに、「変換したい絵画風画像の形式を選択してください」の文字列等と選択肢「油絵風画像」「鉛筆画風画像」「水彩画風画像」・・・を表示させる。
【００５２】
また、右画面４０２にカーソル４０５を表示させ、ユーザがカーソルキー５の操作によりカーソル４０５を「はい」に移動させた後、ＳＥＴキー６を操作すると、ＣＰＵ１９はステップＳ１０２からステップＳ１０３に処理を進めて絵画風画像の形式の選択なされたか否かを判断する。
【００５３】
このステップＳ１０４の判断に際しても、図５に示すようにカーソル４０５を液晶モニタ４に表示させ、ユーザがカーソルキー５の操作によりカーソル４０５をいずれかの選択肢に移動させた後、ＳＥＴキー６を操作するとステップＳ１０３の判断がＹＥＳとなり、絵画風画像の形式の選択が完了する。例えば、図５に示すように、カーソル４０５を「油絵風画像」に合致させて、ＳＥＴキー６を押下すると、撮影画像Ｐ１を絵画風画像に変換する形式として「油絵風画像」が選択されたこととなる。
【００５４】
このようにして変換する形式が選択されたならば、撮影画像Ｐ１を選択済み絵画風画像に変換する変換処理を実行する（ステップＳ１０４）。この変換処理は、前述したようにＲＯＭ２３に記憶されている絵画風画像作成プログラムを用いて行う。したがって、変換する形式として「油絵風画像」が選択されたとすると、ステップＳ１０４での変換処理により、撮影画像Ｐ１が油絵の絵画風画像Ｐ２に変換される。
【００５５】
次に、ＣＰＵ１９は、（１）変換済み絵画風画像の表示、及び（２）サインの入力催促の表示処理を実行する（ステップＳ１０５）。このステップＳ１０４での（１）の処理により、図５において左画面４０１に表示されていた撮影画像Ｐ１は、図６に示すように、例えば油絵風画像である絵画風画像Ｐ２に表示変更される。
【００５６】
また、ステップＳ１０５での（２）の処理より、図６に示すように、液晶モニタ４の右画面４０２に例えば「油絵風画像に変換されました。サインをいれますか？」の文字列等と選択肢「はい」「いいえ」を表示させる。ユーザがカーソルキー５の操作によりカーソル４０５を「はい」に移動させた後、ＳＥＴキー６を操作すると、ＣＰＵ１９はステップＳ１０４からステップＳ１０６に処理を進める。
【００５７】
そして、このステップＳ１０６で（１）サインの入力、及び（２）変換先選択処理を実行する。この（１）及び（２）の処理に際しては、図７に示すように、液晶モニタ４の右画面４０２に「サインを入力して下さい」と平仮名を構成する４６文字の文字ボード４０６を表示させるとともに、「変換先を選択してください」の文字列等と選択肢「漢字」「ローマ字」「ひらがな」「カタカナ」・・・を表示させる。
【００５８】
また、右画面４０２にカーソル４０５を表示させ、ユーザがカーソルキー５の操作によりカーソル４０５を選択肢「漢字」「ローマ字」「ひらがな」「カタカナ」・・・のいずれかに移動させた後、ＳＥＴキー６を操作すると、選択先の文字種が決定される。また、ユーザがカーソルキー５の操作によりカーソル４０５を文字ボード４０６のいずれかの文字に移動させた後、ＳＥＴキー６を操作すると、サインを構成する文字が決定される。
【００５９】
この決定されたサインを構成する文字は、図３に示したサインＲＡＭ２２５のサイン文字記憶部２２６に記憶される。また、ＣＰＵ１９は、図８に示すように、液晶モニタ４の右画面４０２に「変換後のサインはこれでよろしいですか？」の文字列等と、変換前のサイン文字「かわい  ごっほ」、変換後のサイン文字「河合  ゴッホ」とを表示させるとともに、選択肢「はい」「いいえ」を表示させる。ユーザがカーソルキー５の操作によりカーソル４０５を「はい」に移動させた後、ＳＥＴキー６を操作すると、ＣＰＵ１９はステップＳ１０６からステップＳ１０７に処理を進める。
【００６０】
そして、このステップＳ１０７で（１）撮影画像又は変換済み絵画風画像の含有色を検出する処理、及び（２）色候補の表示処理を実行する。すなわち、先ず撮影画像Ｐ１又は絵画風画像Ｐ２を構成する色を解析する。このとき解析により検出する色は、撮影画像Ｐ１又は絵画風画像Ｐ２を構成する全ての色であってもよいし、主要な色であってもよい。しかる後、ＣＰＵ１９は図９に示すように、液晶モニタ４の右画面４０２に「絵画風画像に使われている主要な色は、以下の色です。この中から、サインに使う色を選択して下さい」の文字列等と検出した色の色名を示す選択肢「緑色」「黄色」「肌色」・・・「使われていない特定色」を表示させるとともに、カーソル４０５を表示させる。「使われていない特定色」とは、「絵画風画像に使われている主要な色」として「金色」が使われていない場合、当該使われていない金色を意味する。金色以外に、銀色などであっても良い。
【００６１】
引き続き、これら選択肢からサインに使う色が選択されたか否かを判断する（ステップＳ１０８）。ユーザがカーソルキー５の操作によりカーソル４０５をいずれかの色名に移動させた後、ＳＥＴキー６を操作すると、サインに使う色が選択される。したがって、例えば図９に示すように、カーソル４０５を「緑色」に合致させた状態でＳＥＴキー６を操作すると、サインに使う色として「緑色」が選択される。また、カーソル４０５を「使われていない特定色」に合致させた状態でＳＥＴキー６を操作すると、サインに使う色として「使われていない特定色」である、例えば「金色」が選択される。
【００６２】
これにより、ＣＰＵ１９はステップＳ１０８をＹＥＳと判断し、ステップＳ１０９に処理を進めて、サイン位置候補の表示処理を実行する。このステップＳ１０９での処理により、ＣＰＵ１９は図１０に示すように、液晶モニタ４の右画面４０２に「サインの意図を選択してください」の文字列等と選択肢「右下」「左下」「余白」「絵画部分の中」・・・及びカーソル４０５を表示させる。
【００６３】
この状態において、ＣＰＵ１９は、「絵画部分の中」が選択されたか否か（ステップＳ１１０）、これ以外の「右下」・・・等が選択されたか否か（ステップＳ１１１）を判断し、いずれかが選択されるまで、ステップＳ１０９→Ｓ１１０→Ｓ１１１→Ｓ１０９のループ処理を繰り返す。このループ処理が繰り返されている状態において、ユーザが図１０に示すように、「絵画部分の中」にカーソル４０５を合致させてＳＥＴキー６を操作すると、ステップＳ１１０の判断がＹＥＳとなる。
【００６４】
したがって、ＣＰＵ１９はステップＳ１１０からステップＳ１１２に処理を進めて、サインの形態を画像の輪郭線に関連させるか否かを判断する。このステップＳ１１２での判断に際してＣＰＵ１９は、図１０に示すように液晶モニタ４の右画面４０２に「絵画部分の中のうち、輪郭線に関連させますか？」の文字列等と選択肢「はい」「いいえ」及びカーソル４０５を表示させる。
【００６５】
この状態において、ユーザがカーソル４０５を「はい」に合致させて、ＳＥＴキー６を操作すると、ステップＳ１１２の判断がＹＥＳとなる。したがって、ＣＰＵ１９は、ステップＳ１１２からステップＳ１１３に処理を進めて、（１）絵画部分の輪郭の抽出、（２）抽出済みの輪郭線に沿ってサインを配置、（３）配置された絵画風画像を表示する処理を実行する。
【００６６】
すなわち、絵画風画像Ｐ２においてサインを配置すべき部分の輪郭を抽出して、輪郭線を取得する。次に、この取得した輪郭線に沿って変化するように前記ステップＳ１０５で入力されたサインを配置する。しかる後に、このサインを配置した絵画風画像を液晶モニタ４の左画面４０１に表示させる。
【００６７】
したがって、このステップＳ１１３での処理により図１１（ａ）に示すように、絵画風画像の画像中にサイン（「川合ゴッホ」）４０７が配置されたサイン入り絵画風画像Ｐ３が液晶モニタ４の左画面４０１に表示される。このため、絵画を作成した直後に、当該作成済みの絵画風画像Ｐ３にサインを施す場合と同様な雰囲気を醸し出すことができる。
【００６８】
しかも、絵画風画像Ｐ３の外ではなく、絵画風画像Ｐ３の内部にサインを配置することができる。
【００６９】
また、このサイン４０７は、同図（ｂ）に拡大して示すように、絵画風画像Ｐ２が有する輪郭線４０８に沿った形態となる。有名な画家、例えばゴッホなどは、絵画部分の輪郭線に沿ってサインを描く手法を多用しているが、このような手法と同様な雰囲気を醸し出すことができる。
【００７０】
このステップＳ１１３で、液晶モニタ４の左画面４０１に輪郭線４０８に沿ってサイン４０７が配置されサイン入り絵画風画像Ｐ３を表示させた際には、図１１に示すように、右画面４０２に「[変換後のサインの配置]  変換後のサインが絵画中の輪郭線に沿って配置されました。これでよろしいですか？」の文字列等とともに、選択肢「はい」「いいえ」及びカーソル４０５を表示させる。そして、「はい」が選択された場合には、このフローチャートに従った処理を終了し、「いいえ」が選択された場合には、ステップＳ１０１からの処理を再度実行する。
【００７１】
なお、ステップＳ１１２での判断の結果、サインを輪郭線に関連させるが選択されなかった場合（ステップＳ１１２：ＮＯ）の場合には、サインを輪郭線に沿わせることなく画像中に配置し、当該サインを配置した絵画風画像を表示する（ステップＳ１１４）。
【００７２】
他方、サインの位置として「絵画部分の中」以外の「右下」「左下」「余白」・・・が選択されると、ステップＳ１１１での判断がＹＥＳとなる。したがって、ＣＰＵ１９はステップＳ１１１からステップＳ１１５に処理を進めて、異なるサインの色の要否催促表示を実行する。
【００７３】
例えば、図１２に示すように、カーソル４０５「右下」に合致させた状態でＳＥＴキー６を操作すると、ステップＳ１１１の判断がＹＥＳとなり、サイン位置として「右下」が選択されたことになる。したがって、ＣＰＵ１９はステップＳ１１５の異なるサインの色の要否催促表示を実行して、同図に示すように「右下の背景色と異なる色をほどこしますか？」の文字列等と、選択肢「はい」「いいえ」及びカーソル４０５を表示する。
【００７４】
つまり、図９において前述したように、サインに使用する色はステップＳ１０７及びステップＳ１０８で予めユーザにより選択されている。そして、その後絵画風画像の右下にサインの位置が選択されると、絵画風画像の右下部分の色と、ユーザが予め選択したサインの色とが、同一色や同系色となる場合が発生する。このような場合、当該位置にサインを表示させても、当該サインが不明瞭となってしまう。
【００７５】
そこで、異なるサインの色の要否催促表示を行い、ユーザが「はい」を選択した場合には、予め選択されたサインの色とは異なる色であって、絵画風画像の右下部分の色と同一色や同系色でない色を自動選択する。
【００７６】
しかる後に、選択されたサイン位置への異なるサインの色によるサイン配置処理を実行して、サインが施された絵画風画像を表示する（ステップＳ１１６）。このステップＳ１１６での処理により、図１３に示すように、液晶モニタ４の左画面４０１には、右下にサイン４０７が施されたサイン入り絵画風画像Ｐ３が表示される。
【００７７】
このため、絵画を作成した直後に、当該作成済みの絵画にサインを施す場合と同様な雰囲気を醸し出すことができる。
【００７８】
また、ステップＳ１１６で、液晶モニタ４の左画面４０１にサイン４０７が配置された絵画風画像Ｐ２（サイン入り絵画風画像）を表示させた際には、図１３に示すように、右画面４０２に「指定された「右下」の位置に、当該右下の背景色と異なるサイン色施しました。これでよろしいですか？」の文字列等とともに、選択肢「はい」「いいえ」及びカーソル４０５を表示させる。そして、「はい」が選択された場合には、このフローチャートに従った処理を終了し、「いいえ」が選択された場合には、ステップＳ１０１からの処理を再度実行する。
【００７９】
なお、本実施の形態においては、液晶モニタ４にカーソル４０５を表示し、選択肢にカーソル４０５を合致させて、ＳＥＴキー６を操作することにより、選択肢のいずれかが選択されるようにした。しかし、カーソル４０５を表示させることなく、タッチパネル２５によりタッチを検出することにより、選択肢の選択を行わせるようにしてもよい。
【００８０】
以上のように、この実施の形態によれば、撮影画像又は絵画風画像に含まれている複数の主な色（例えば、緑色、黄色、肌色）、または撮影画像又は絵画風画像に含まれていない特定色（例えば、金色または銀色）をサイン選択候補として表示し（図９）、この表示されたサイン選択候補としての複数の色の中から、サインとして使用する色を自由に選択して、図１３に示すように、サイン４０７を配置することができる。このために、絵画を作成した直後に、当該作成済みの絵画に使った絵の具の色を用いて、または、絵画を作成した直後に、当該作成済みの絵画に使った絵の具の色以外の特別な色を用いて、絵画中にサインを施す場合と同様な雰囲気を醸し出すことができる。
【００８１】
この実施の形態によれば、図１１に示すように、絵画風画像の外部の位置でなく、絵画風画像の内部の位置にも、絵画部分の輪郭線４０８に沿って入力済みサイン４０７を配置させることができる。有名なゴッホなどは、絵画部分の輪郭線に沿ってサインを描く手法を多用しているが、このような手法と同様な雰囲気を醸し出すことができる。
【００８２】
（第２の実施の形態）
次に、本発明の第２の実施形態について説明する。
図１４（ａ）は、本実施の形態において、ＲＯＭ２３に記憶されているサイン線種テーブル２３１を示す図である。このサイン線種テーブル２３１には、絵画風画像の形式として「水彩画風」「油絵風」「パステル画風」「鉛筆画風」が記憶され、これら絵画風画像の形式に対応して異なるサインの線種が記憶されている。各サインの線種は、同図（ｂ）にも示すように、「にじみのある線」「太い線、かすれ」「絵の具の盛り上がり」「細く滑らかな線」である。
【００８３】
また、本実施の形態においてフラッシュメモリ２４には、ユーザが撮影を行った際に撮影された複数の画像が各々画像ファイルとして記録されている。各画像ファイルには、撮影された画像である本画像と、本画像の縮小画像であるサムネイルとが記録されている。
【００８４】
以上の構成に係る本実施の形態において、デジタルカメラ１はＣＰＵ１９がＲＯＭ２３に格納されているプログラムに従って処理を実行することにより、図１５のフローチャートに示す第２の実施の形態における絵画風変換処理を実行する。
【００８５】
すなわち、ＣＰＵ１９は、フラッシュメモリ２４に記憶されている複数の画像ファイルからサムネイルを読み出して、液晶モニタ４に一覧表示する（ステップＳ２０１）。そして、これら一覧表示されたサムネイルからいずれかの画像が選択されたか否かを判断する（ステップＳ２０２）。いずれかのサムネイルが選択されたならば、変換対象とする画像を当該サムネイルに対応する本画像と決定して、決定した本画像Ｐ１を図１６に示すように、液晶モニタ４に表示する。
【００８６】
また、本実施の形態においては、サイン線種テーブル２３１に記憶されている絵画風画像の形式である「水彩画風」「油絵風」「パステル画風」「色鉛筆画風」のいずれかに画像を変換可能である。したがって、ＣＰＵ１９は、ユーザによりこれら形式のいずれが選択されたか否かを判断する（ステップＳ２０４）。いずれかの絵画風画像の形式が選択されたと判断されたならば、当該形式で選択済みの画像を変換処理する（ステップＳ２０５）。したがって、ステップＳ２０４で「色鉛筆風」が選択されたと判断されると、ステップＳ２０２で選択された画像（本画像）が色鉛筆風に画像変換される。
【００８７】
次に、ＣＰＵ１９はサイン入力画面を液晶モニタ４に表示させる（ステップＳ２０６）。このステップＳ２０６での処理により、図１７（ａ）に示すように、ＣＰＵ１９は液晶モニタ４をメイン表示部４０３とその他の表示部４０４とに区分し、その他の表示部４０４に「サインを入力してください」なる文字列等と、「取消」「実行」の各ボタンを表示させる。
【００８８】
この状態で、ユーザがペンあるいは手指によりメイン表示部４０３にサインを書き込むと、タッチパネル２５により書き込み軌跡が検出される。ＣＰＵ１９がこのタッチパネル２５により検出された書き込み軌跡を取り込むことにより、サイン入力処理が実行され（ステップＳ２０７）、図１７（ａ）に示すように、入力された例えば「田中」なるサイン４０７がメイン表示部４０３に表示される。
【００８９】
次に、ＣＰＵ１９は、「取消」ボタン１７Ａがタッチされたか（ステップＳ２０８）、「実行」ボタン１７Ｂがタッチされたか（ステップＳ２０９）を判断し、「取消」ボタン１７Ａがタッチされた場合には、ステップＳ２０６からの処理を再度実行する。「実行」ボタン１７Ｂがタッチされた場合には、その時点でメイン表示部４０３に表示されているサイン４０７を確定してステップＳ２１０に進む。
【００９０】
そして、ステップＳ２１０で変換済み絵画風画像をメイン表示部４０３に表示させるとともに、続くステップＳ２１１で当該絵画風画像内の任意の位置に選択済みの形式に応じた態様でサイン４０７を表示させる。したがって、前述のように例えば「色鉛筆風」が選択済みであるとすると、図１７（ｂ）に示すように、メイン表示部４０３に色鉛筆風の絵画風画像Ｐ２が表示されるとともに、絵画風画像Ｐ２の任意の位置に、色鉛筆風に対応する線種である「質感を出すためのグラデーション（濃淡）」「タッチ（表現法）」を模倣した態様で「田中」なるサイン４０７が表示される。
【００９１】
したがって、変換された絵画風画像Ｐ２が色鉛筆風であり、かつサイン４０７が色鉛筆でのサインを模倣した「グラデーション（濃淡）」「タッチ（表現法）」のある線種であることから、絵画を作成した直後に、当該作成済みの絵画にサインを施す場合と同様な雰囲気を醸し出すことができる。
【００９２】
また、変換された絵画風画像の形式に応じた態様でサインを配置させることができ、変換された絵画風画像に形式に応じて違和感なくサインを配置することができる。
【００９３】
次に、ＣＰＵ１９は、サインの位置、大きさ制御処理を実行する（ステップＳ２１２）。この処理に際しては、図１７（ｂ）に示すように、その他の表示部４０４に「位置と大きさを指定してください」なる文字列等と、「拡大」「縮小」「決定」の各ボタン１７Ｃ〜１７Ｅとを表示させる。そして、ユーザがサイン４０７にタッチした状態で指をスライドさせてメイン表示部４０３から離すと、当該位置にサイン４０７を移動させる。また、「拡大」ボタン１７Ｃにタッチするとサイン４０７を拡大表示させ、「縮小」ボタン１７Ｄにタッチするとサイン４０７を縮小表示させる。
【００９４】
したがって、ユーザは自己が入力したサインの画像中における大きさ、位置を任意に設定することができる。
【００９５】
このようにしてサイン４０７の位置、ユーザが大きさを決めた後に「決定」ボタン１７Ｅにタッチすると、ステップＳ２１３の判断がＹＥＳとなる。したがって、ＣＰＵ１９は、ステップＳ２１３からステップＳ２１４に処理を進めて、サイン色の選択画面の表示処理を実行する。
【００９６】
このステップＳ２１４での処理により、図１７（ｃ）に示すように、その他の表示部４０４にサイン（「田中」）を複数の色（赤）（青）（黄）（緑）・・・で各々着色した選択肢を表示させる。そして、この選択肢の中からいずれかの色が選択されたか否かを判断する（ステップＳ２１５）。いずれかの色が選択されたならば、現在絵画風画像Ｐ２内に表示させているサイン４０７を選択された色に表示変更する（ステップＳ２１６）。
【００９７】
したがって、例えば「（青）」が選択されたとすると、図１７（ｃ）に示すように、サイン４０７が（青）で表示される。よって、ユーザは、自己が入力したサインの画像中における大きさ、位置を簡単な操作により任意に設定することができるのみならず、その色も任意に設定することができる。
【００９８】
なお、本実施の形態においては、本発明をデジタルカメラに適用した場合を示したが、デジタルカメラに限らず、画像を表示可能な機器であれば携帯電話等の他の機器に適用することができる。
【符号の説明】
【００９９】
１    デジタルカメラ
２    メニューキー
３    モードダイアル
４    液晶モニタ
５    カーソルキー
６    ＳＥＴキー
８    シャッターキー
１０    ＣＣＤ
１２    撮像レンズ
１３    フォーカスレンズ
１９    ＣＰＵ
２１    操作キー部
２２    ＲＡＭ
２３    ＲＯＭ
２４    フラッシュメモリ
２５    タッチパネル
２２１    画像ＲＡＭ
２２２    第１記憶部
２２３    第２記憶部
２２４    第３記憶部
２２５    サインＲＡＭ
２２６    サイン文字記憶部
２３１    サイン線種テーブル
４０１    左画面
４０２    右画面
４０３    メイン表示部
４０５    カーソル
４０６    文字ボード
４０７    サイン
４０８    輪郭線
【図２】
2011257971.tif 000003
【図３】
2011257971.tif 000004
【図４】
2011257971.tif 000005
【図１５】
2011257971.tif 000006
【図１】
2011257971.tif 000007
【図５】
2011257971.tif 000008
【図６】
2011257971.tif 000009
【図７】
2011257971.tif 000010
【図８】
2011257971.tif 000011
【図９】
2011257971.tif 000012
【図１０】
2011257971.tif 000013
【図１１】
2011257971.tif 000014
【図１２】
2011257971.tif 000015
【図１３】
2011257971.tif 000016
【図１４】
2011257971.tif 000017
【図１６】
2011257971.tif 000018
【図１７】
2011257971.tif 000019